(57)【要約】【課題】ユーザーからのダビング要求に対し、ユーザーが用意している記録メディアに対して、ダビング可能なコンテンツを表示可能な映像記録再生装置を提供する。【解決手段】この発明の１つの実施の形態を用いることで、ディスクドライブユニット２５にセットされた記録媒体Ｄの規格及び種類に基いて、その記録媒体への複写または移動が許可されているコンテンツを、任意数のコンテンツを収容した記録装置２３内から抽出し、抽出した記録媒体への複写または移動が許可されているコンテンツのみを区分して表示するガイド画面を表示させる出力画面信号を生成することにより、ユーザーの利便性（操作性）が向上される。【選択図】  図１
2009015886.tif 000002
【特許請求の範囲】
【請求項１】
任意数のコンテンツが記録可能な記録装置と、
前記記録装置に記録されているコンテンツが複製または移動可能な記録媒体に複製または移動対象のコンテンツを記録するディスクドライブユニットと、
前記ディスクドライブユニットにセットされた記録媒体の規格及び種類に応じて、前記記録装置から前記記録媒体へ複写または移動可能なコンテンツを識別する制御装置と、
前記ディスクドライブユニットにセットされた記録媒体の規格及び種類に応じて、前記記録装置から前記記録媒体へ複写または移動可能なコンテンツのみを区分して表示可能に出力画面信号を生成する表示制御装置と、
を有することを特徴とする映像記録再生装置。
【請求項２】
前記制御装置は、前記記録装置に記録されているコンテンツの種類あるいは複写許諾、または著作権情報と、前記ディスクドライブユニットにセットされた記録媒体の種類が、複写許諾であることに基いて、前記記録装置から前記記録媒体へ複写または移動可能なコンテンツを識別することを特徴とする請求項１記載の映像記録再生装置。
【請求項３】
前記表示制御装置は、前記記録装置に収容されているコンテンツのうち、前記ディスクドライブユニットにセットされた記録媒体に複写または移動可能なコンテンツのみを複写または移動可能コンテンツ表示領域に表示可能に、出力画面信号を生成することを特徴とする請求項１記載の映像記録再生装置。
【請求項４】
前記表示制御装置は、前記記録装置に収容されているコンテンツとして、前記ディスクドライブユニットにセットされた記録媒体に複写または移動が許可されないコンテンツが存在する場合に、その理由を表示する表示領域を含む出力画面信号を生成することを特徴とする請求項１記載の映像記録再生装置。
【請求項５】
前記表示制御装置は、前記記録装置に収容されているコンテンツとして、前記ディスクドライブユニットにセットされた記録媒体に複写または移動が許可されないコンテンツが存在する理由が、前記ディスクドライブユニットにセットされた記録媒体の種類によることを表示する表示領域を含む出力画面信号を生成することを特徴とする請求項１記載の映像記録再生装置。
【請求項６】
ディスクドライブユニットにセットされた記録媒体の規格及び種類を認識し、
その記録媒体への複写または移動が許可されているコンテンツを、任意数のコンテンツを収容した記録装置内から抽出し、
抽出した記録媒体への複写または移動が許可されているコンテンツのみを区分して表示するガイド画面を表示させる出力画面信号を生成する    
ことを特徴とする映像記録再生装置の制御方法。
【請求項７】
前記出力画面信号は、記録装置に収容されているコンテンツのうち、ディスクドライブユニットにセットされた記録媒体に複写または移動可能なコンテンツのみを表示する複写または移動可能コンテンツ表示領域を含むことを特徴とする請求項６記載の映像記録再生装置の制御方法。
【請求項８】
前記出力画面信号は、記録装置に収容されているコンテンツとして、ディスクドライブユニットにセットされた記録媒体に複写または移動が許可されないコンテンツが存在する場合に、その理由を表示する表示領域を含むことを特徴とする請求項６記載の映像記録再生装置。
【請求項９】
前記出力画面信号は、記録装置に収容されているコンテンツとして、ディスクドライブユニットにセットされた記録媒体に複写または移動が許可されないコンテンツが存在する理由が、ディスクドライブユニットにセットされた記録媒体の種類によることを表示する表示領域を含むことを特徴とする請求項６記載の映像記録再生装置。
【発明の詳細な説明】
【技術分野】
【０００１】
この発明は、挿入されている記録メディアに基き、複製（ダビング）／移動（ムーブ）が可能か否かを、その理由とともにユーザーに報知可能な映像記録再生装置に関する。
【背景技術】
【０００２】
光ディスクを記録媒体として提供される映像（含むオーディオ情報）を再生可能な装置として、ＤＶＤ規格の光ディスクから映像を再生するプレイヤー装置や、同規格の光ディスクに映像情報を記録可能なレコーダー装置が実用化されて久しい。
【０００３】
今日、ＤＶＤ規格を発展させたＨＤ（Ｈｉｇｈ−Ｄｅｆｉｎｉｔｉｏｎ）  ＤＶＤ規格の光ディスクや、ＨＤ  ＤＶＤ規格と同様に１枚のディスクに多くの映像を高密度に記録可能なＢｌｕ−Ｒａｙ（ブルーレイ）規格の光ディスクも既に実用化され、それぞれ、プレイヤー装置やレコーダー装置が入手可能である。
【０００４】
なお、ＨＤ  ＤＶＤレコーダーにおいては、記録後の映像の品位が高い（記録による劣化の極めて少ない）記録モードも用意されているため、映像およびオーディオ信号の種類に基き、ダビング（複製）またはムーブ（移動）が制限されることが知られている。また、ダビングやムーブが可能な記録メディア（記録媒体）についても、１回のみ、ダビングやムーブが許可されているものと、ダビングやムーブができないものがある。
【０００５】
特許文献１には、ダビングを行うときに、番組によりダビングすることが可能な光ディスクの種類を一覧表示するものが示されている。
【特許文献１】特開２００６−２１６１３０
【発明の開示】
【発明が解決しようとする課題】
【０００６】
特許文献１の表示方法では、ダビングしようとしたユーザーが用意した光ディスク（記録メディア）とダビング可能な光ディスクとして表示されたディスクが一致しない場合、なぜ用意した光ディスクが選択できないのか、という「ユーザーが理解できない」に疑問を持たせることが多く、ユーザーに不自由さ（操作性の悪さ）を生じさせている。
【０００７】
この発明の目的は、ユーザーからのダビング要求に対し、ユーザーが用意している記録メディアに対して、ダビング可能なコンテンツを表示可能な映像記録再生装置を提供することである。
【課題を解決するための手段】
【０００８】
この発明は、上記問題点に基づきなされたもので、任意数のコンテンツが記録可能な記録装置と、前記記録装置に記録されているコンテンツが複製または移動可能な記録媒体に複製または移動対象のコンテンツを記録するディスクドライブユニットと、前記ディスクドライブユニットにセットされた記録媒体の規格及び種類に応じて、前記記録装置から前記記録媒体へ複写または移動可能なコンテンツを識別する制御装置と、前記ディスクドライブユニットにセットされた記録媒体の規格及び種類に応じて、前記記録装置から前記記録媒体へ複写または移動可能なコンテンツのみを区分して表示可能に出力画面信号を生成する表示制御装置と、を有することを特徴とする映像記録再生装置である。
【発明の効果】
【０００９】
この発明の１つの実施の形態を用いることで、コンテンツ（番組）のダビング／ムーブが要求された場合に、ダビング／ムーブ可能な記録メディア（光ディスク）が挿入されているか否か、あるいは現在挿入されている光ディスクではダビング／ムーブが禁止されているため、ディスクの交換が必要である、等の「なぜ、ダビング／ムーブできないのか」を、ユーザーに容易に報知できる。これにより、用意した光ディスクにダビング／ムーブできない、という「ユーザーが理解できない」疑問が解消され、ユーザーの不自由さ（操作性の悪さ）が解消される。
【００１０】
すなわち、本発明の一実施形態を用いることで、記録したコンテンツのダビングガイドを、メッセージやアラートではなく、一覧表示することによって、ユーザーの装置に対する理解と操作を向上させることが可能となる。
【発明を実施するための最良の形態】
【００１１】
以下、図面を参照して、本発明の実施の形態について説明する。
【００１２】
図１は、本発明の実施の形態が適用可能な画像記録再生装置（映像録画装置、レコーダー装置とも称される）の一例を構成を示す。
【００１３】
映像録画装置１は、例えば、放送衛星または通信衛星を介して提供される衛星デジタルＴＶ放送を受信する衛星アンテナ１１と同アンテナ１１により受信した放送波から所定のチャンネルを選択するＢＳ／ＣＳチューナー１３、及び地表波（空間波）により提供される地上デジタル／アナログＴＶ放送の受信する地上波アンテナ１５と同アンテナ１５により受信した放送波から所定のチャンネルを選択する地上波チューナー１７を有する。なお、映像及びオーディオ信号は、図示しないが、外部入力端子を介して供給されてもよいことはいうまでもない。
【００１４】
それぞれのチューナーを介して取得した放送波すなわちテレビ番組は、主制御ブロック１９によりデコードされ、録画装置２１により所定の録画（記録）モードで録画される。なお、録画装置２１は、例えば数１００Ｇバイトの記録容量が与えられたハードディスク装置（ＨＤＤ）２３と、例えばＤＶＤ規格の光ディスクであるＤＶＤディスク、あるいはＤＶＤ規格を発展させ、より記録密度が高められたＨＤ（Ｈｉｇｈ−Ｄｅｆｉｎｉｔｉｏｎ）  ＤＶＤ規格のＨＤ  ＤＶＤディスクに情報を記録可能なディスクドライブユニット２５を含む。
【００１５】
主制御ブロック１９には、ユーザーからの操作情報が入力されるユーザー操作入力部２７、及びリモートコントロール端末ＲＭからの入力を受け付けるリモートコントロール受信機２９が接続されている。
【００１６】
なお、詳述しないが、主制御ブロック１９は、映像系ＡＤＣ（アナログ−デジタルコンバータ）、オーディオ（音声／音楽）系ＡＤＣ（アナログ−デジタルコンバータ）、エンコーダー、デコーダー等を含み、入力された映像及びオーディオ信号がアナログである場合には、それぞれデジタル信号に変換した後、録画装置２１によりデジタル記録可能にエンコードする。また、再生時には、録画装置２１から読み出した映像信号及びオーディオ信号をデコードして、以下に説明する出力端３１に供給する。
【００１７】
また、主制御ブロック１９は、図示しないＯＳＤ（Ｏｎ  Ｓｃｒｅｅｎ  Ｄｉｓｐｌａｙ）を含み、例えばユーザー入力部２７あるいはリモートコントロール受信機２９を介して入力された操作情報や選択されたチャンネルあるいはダビングやムーブの指示に対応する選択画面や操作画面を、出力端３１に接続されるテレビ受像機や詳述しないがモニター装置に表示可能に出力する。なお、出力端３１には、図示しないが、オーディオ出力装置（スピーカーやＡＶ（Ａｕｄｉｏ  Ｖｉｄｅｏ）アンプ）等も接続されることはいうまでもない。
【００１８】
なお、主制御ブロック１９のＯＳＤ（Ｏｎ  Ｓｃｒｅｅｎ  Ｄｉｓｐｌａｙ）からの出力は、混合器３３により、録画装置２１からの出力である再生出力映像に対して、例えば半透過あるいは再生出力映像に重ねた状態で再生出力映像の所定の割合を表示可能な「αブレンディング」により、再生出力映像も表示した状態で、出力端３１に供給される。
【００１９】
次に、図１に示した映像記録装置（情報記録再生装置）にて、録画済のタイトル（番組またはコンテンツ）を、ダビング（複製）あるいはムーブ（移動）する例を説明する。
【００２０】
図２に示すリモートコントロール端末ＲＭの『設定』ボタン２０１により、ユーザーから、「見るナビ」が選択されることで、図３に示すような「見るナビ（機能一覧）」画面３０１が表示される。
【００２１】
なお、以下に説明するさまざまな表示（画面）においては、リモコン端末ＲＭの詳述しない上下左右方向の４つの矢印キーにより現在選択中の表示が反転表示され、例えば『決定』キー２１１により確定されることで、次の画面（または表示）が表示され、もしくは入力されたコマンドに対応する処理が実行されるものとする。
【００２２】
また、以下に説明する個々の『表示』は、映像記録装置１において、出力端３１に接続されたテレビ受像機（モニター装置）Ｍの画面に表示される表示例であり、その『表示』となる表示パターンは、主制御ブロック１９のＯＳＤにより生成され、混合器３３を介して録画装置２１から出力される映像出力に重ね合わせられることはいうまでもない。
【００２３】
図３に示す「見るナビ（機能一覧）」画面３０１において、『ダビング』表示３１１が選択されると、図４に示すように、「編集ナビ（ダビング）」画面４０１が表示される。
【００２４】
図４に示す「編集ナビ（ダビング）」画面４０１には、データ供給元の情報を表示する供給元情報表示領域４１０と、ダビング先の情報を表示するダビング先情報表示領域４２０と、表示画面及び動作モードの入力に利用される制御ボタンが表示される制御ボタン領域４３０とが表示される。
【００２５】
供給元情報表示領域４１０には、例えば１０個のサムネイル画面（画面番号表示あり）と、サムネイル画面に表示されている番組（コンテンツ）のうちのフォーカス（カーソル）が当てられている番組の情報を示すコンテンツ情報表示欄４１１が表示される。なお、図４に示す例では、１０個のサムネイル画面のうち、画面番号［００８］と同［００９］の番組（コンテンツ）については、以下に説明するが、ダビング先情報表示領域４２０の記録メディア表示領域４２１に表示されている記録メディアの種類に基いて、ダビング／ムーブのいずれもできないことをユーザーに分かりやすく（視覚的に）表示するために、グレイダウン表示（色抜き／モノクロ表示／透過率を下げた表示）、あるいは網掛け表示等により表示されている。
【００２６】
ダビング先情報表示領域４２０には、現在録画装置２１のディスクドライブユニット２５に装填されている記録メディアすなわち光ディスクの情報、すなわち規格（フォーマット）と種類（書き換え可能な−ＲＡＭ／ＲＷタイプ、１回のみ記録可能な−Ｒタイプ）等が表示される記録メディア表示領域４２１、現在録画装置２１のディスクドライブユニット２５に装填されている記録メディアに対してダビングあるいはムーブが許可されている番組（コンテンツ）が表示されるダビング可能コンテンツ表示領域４２２、ダビングができないコンテンツが存在する場合に、その理由を表示するヘルプ（ＨＥＬＰ）表示欄４２３等が表示される。
【００２７】
図５は、図４を用いて既に説明した「編集ナビ（ダビング）」画面４０１と同一画面であるが、録画装置２１のディスクドライブユニット２５に装填されている光ディスクが、ＣＰＲＭ対応の−Ｒ（１回のみ録画が可能で、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）により１回限りコピーが承認されているディスク）である場合を示している。
【００２８】
すなわち、図５の表示（画面）と図４の表示（画面）では、供給元情報表示領域４１０に表示されている１０個のサムネイル画面（画面番号表示あり）が総てダビング／ムーブ可能であることと、ダビング先情報表示領域４２０の記録メディア表示領域４２１に、現在装填されている光ディスクの種類として［ＣＰＲＭ−Ｒ］が表示され、ダビング可能コンテンツ表示領域４２２に表示されたタイトル（番組）が増えている点が異なる。なお、図５においては、ヘルプ（ＨＥＬＰ）表示欄４２３に『ムーブのみ可能です／ムーブ終了後、ＨＤＤ内のコンテンツは、消去されます』等が表示される。
【００２９】
このように、図４においては、挿入しているメディアが「ＤＶＤ−ＲＡＭ」であることが記録メディア表示領域４２１に表示されるとともに供給元情報表示領域４１０においても、グレイダウン表示（色抜き／モノクロ表示）により、いくつかのコンテンツ（番組）が、ムーブ／ダビングができないことが表示される。また、ムーブ／ダビングが許可されたコンテンツ（番組）のみが、ダビング可能コンテンツ表示領域４２２に表示される。
【００３０】
これに対して、図５においては、挿入しているメディアが「ＣＰＲＭ対応の−Ｒ」であることが記録メディア表示領域４２１に表示されるとともに供給元情報表示領域４１０においても、ムーブ／ダビングができないこと（図５では総て可能）が表示される。また、ムーブ／ダビングが許可されたコンテンツ（番組）として、図４に示した例に比較して、ムーブ／ダビング可能コンテンツ表示領域４２２に表示されるコンテンツ（番組）数が増加される。
【００３１】
なお、ダビング先情報表示領域４２０のヘルプ（ＨＥＬＰ）表示欄４２３には、図４の例の場合、例えば『ダビング／ムーブが許可されていないディスクが装着されています』／『ディスクを「ＣＰＲＭ」対応の−Ｒディスクに交換してください』等の「なぜ、ダビング／ムーブができないか」を説明するメッセージも表示される。
【００３２】
また、ダビング先情報表示領域４２０のタイトル表示領域４２４には、現在フォーカス（カーソル）が当てられているタイトル（コンテンツ名）も表示されることはいうまでもない。なお、ＨＥＬＰ欄４２３の近傍（図４、図５の表示例では「ＨＥＬＰ欄」の上方）には、ディスクの種類を表示するメディア情報欄４２５も用意されており、記録メディア表示領域４２１の表示に加え、文字情報として、ユーザーの識別を容易としている。
【００３３】
一方、供給元情報表示領域４１０のコンテンツ情報表示欄４１１においても、ダビングしようとしているコンテンツは、ダビングが許可されていない（ＨＤＤにコンテンツを残した状態で光ディスクへのコピーができない）ことやムーブのみ可能である（光ディスクにコンテンツをコピーした場合、ＨＤＤ内のコンテンツが消去される）こと等の、ユーザーに対するメッセージが表示される。
【００３４】
また、上述したコンテンツの複写あるいは移動の可否は、コンテンツが任意数のチャプター（１つのコンテンツ内の任意の区切り）を含む場合、チャプター毎に、判定されることはいうまでもない。
【００３５】
なお、ＨＤＤ２３に記録されているコンテンツ（番組）の情報やディスクドライブユニット２５に装填されている光ディスクの情報の取得／識別方法は、周知のさまざまの手法が利用可能である。例えば、光ディスクのＵＤＦ情報からディスクのフォーマット情報を確認し、ＩＦＯ情報のＶＯＢ，ＳＯＢからタイトル情報を取得し、タイトル属性を識別、その２つの情報からダビング／ムーブの可否が判断できる。また、コンテンツとしては、ＴＳ（Ｔｒａｎｓｐｏｒｔ  ｓｔｒｅａｍ）／ＰＳ（Ｐａｃｋｅｔａｉｚｅｄ  ｓｔｒｅａｍ）、圧縮の有無、デジタルかアナログか等の情報により、ＣＰＲＭ対応あるいはムーブ及びダビングの禁止等が識別可能である。
【００３６】
図６は、図１に示した映像録画装置において、挿入されているメディア（光ディスク）と、ダビング／ムーブの可否とを関連付けた表示例（実際の表示は、図４及び図５に示した表示画面の供給元情報表示領域４１０のコンテンツ情報表示欄４１１に表示される）の一例を説明する概略図である。
【００３７】
例えば、図４及び図５に示した表示例において、供給元情報表示領域４１０のコンテンツ情報表示欄４１１には、選択されているコンテンツの種別、そのコンテンツがダビング／ムーブ可能である場合に、利用できるメディアの種類（フォーマット）を表示する。
【００３８】
また、ダビングという機能の場合、選択したコンテンツとディスクドライブユニット２５に挿入されているディスクの属性から選択できるコピーモードや種類すなわちムーブのみ可能等の情報が、併せて表示される。
【００３９】
表示される情報としては、例えば、    
［Ａ］記録可能メディア：    
コンテンツがダビング可能なメディアを表示    
（記載方法は、イメージまたは、文言）    
例：ＨＤＤ，ＤＶＤ−ＲＷ（Ｖ）／（ＶＲ）    
［Ｂ］ダビング：    
ＨＤＤ２３に保持されているコンテンツのうちのダビング可能なコンテンツの情報をイメージまたは文言、あるいは着色により表示    
１．ダビングの種類を示す      
［ＣＰ］：コピー（ダビング）を示す（緑で着色されてもよい）    
［ＭＶ］：移動（ムーブ）を示す（赤で着色されてもよい）    
２．着色表示    
赤：動作可能    
緑：動作不可    
（ムーブ可能でダビングは不可）    
などである。
【００４０】
図７は、図１に示した映像録画装置において、挿入されているメディア（光ディスク）と、ダビング／ムーブの可否とを関連付けた表示例（実際の表示は、図４及び図５に示した表示画面のＨＥＬＰ欄４２３に表示される）の一例を説明する概略図である。
【００４１】
表示される情報としては、例えば、    
［Ｃ］  ＨＥＬＰ    
３．予約録画５分前になりましたのでこの操作はできません    
４．予約をキャンセルまたは予約終了後に操作できます    
５．ダビングを行うことができない理由と対処方法のアドバイス    
ａ）ディスクにプロテクトがかけられているとき    
→  カートリッジのプロテクトを解除してください    
→  ディスク情報からソフトプロテクトを解除してください    
ｂ）予約録画ＸＸ前になったためこの操作はできません    
などである。
【００４２】
図７に示すように、情報記録再生装置１においては、さらに、    
６．挿入しているメディア情報を表示    
（情報はダビングに必要な情報のみ表示）    
１）  ディスク種別    
挿入されているディスクの種類    
ＤＶＤ−ＲＡＭ          表示例：ＤＶＤ−ＲＡＭ    
ＤＶＤ−ＲＷ            表示例：ＤＶＤ−ＲＷ    
ＤＶＤ−Ｒ              表示例：ＤＶＤ−Ｒ    
ＨＤ  ＤＶＤ−ＲＡＭ    表示例：ＨＤ  ＤＶＤ−ＲＡＭ    
または、ＨＤ−ＲＡＭ    
ＨＤ  ＤＶＤ−ＲＡＭ    表示例：ＨＤ  ＤＶＤ−ＲＷ    
または、ＨＤ−ＲＷ    
ＨＤ  ＤＶＤ−Ｒ        表示例：ＨＤ  ＤＶＤ−Ｒ    
または、ＨＤ−Ｒ    
ＨＤ  ＤＶＤ−ＲＯＭ    表示例：ＨＤ  ＤＶＤ−ＲＯＭ    
または、ＨＤ−ＲＯＭ    
ＨＤ  ＤＶＤ−ＲＡＭ    表示例：ＨＤ−ＲＡＭ    
または、ＨＤＶＲ    
などの情報も表示可能である。
【００４３】
また、図７に示すように、情報記録再生装置１においては、    
７．保護情報    
ディスクの保護状態を記号、イメージ、例えば、    
［    ］内でディスクの保護状態を示す。    
表示例１：保護：×［カートリッジ保護］    
表示例２：保護：○    
表示例３：保護：×［ソフトプロテクト有］    
表示例４：保護：×［ファイナライズ済］    
８．著作権保護    
ディスクがＣＰＲＭ対応か非対応かイメージまたは文言または色別    
表示例５：○  対応ディスク    
表示例６：×  非対応ディスク    
９．記録モード    
ディスクの記録モード（フォーマット）状況を示す    
ＶＲ（ＰＳ）：    
ＤＶＤ規格のＶＲ（ＰＳ）フォーマットしているディスク    
表示例：ＶＲ    
または、ＰＳ    
ＨＤ−ＶＲ（ＰＳ）：    
ＨＤ  ＤＶＤ規格のＶＲ（ＰＳ）フォーマットしているディスク    
表示例：ＨＤＶＲ    
または、ＨＤＰＳ    
ＶＩＤＥＯ：    
ＶＩＤＥＯフォーマットしているディスク    
表示例：（Ｖｉｄｅｏ）    
または、（Ｖ）    
ＨＤ−ＶＩＤＥＯ  ：    
ＨＤ  ＤＶＤ規格のＶＩＤＥＯフォーマットしているディスク    
表示例：（ＨＤ−Ｖｉｄｅｏ）    
または、（ＨＤ−Ｖｉｄｅｏ）    
または、（Ｖ）    
（ディスク）なし：    
ダビング非対象ディスク    
表示例：  ［×］  
または、［−−−］    
または、［ＳＰ（Ｎｏ  Ｍｅｄｉａ）］    
ＢＬＡＮＫ：    
フォーマットが必要なディスク    
表示例：  ［×］    
または、［Ｂｌａｎｋ］    
または、［（Ｎｅｗ）］    
などの表示が可能である。
【００４４】
図８は、図４及び図５を用いて説明した録画済のタイトル（番組あるいはコンテンツ）を、ダビング（複製）またはムーブ（移動）することをソフトウェアとして実現した場合のフローチャートである。
【００４５】
第１に、リモコン端末ＲＭにより、編集モードの起動が指示されると、「編集ナビ（ダビング）」画面が表示される。すなわち、供給元情報表示領域４１０に表示すべき録画済のタイトル（番組あるいはコンテンツ）の範囲が特定され、予め用意された個数のサムネイル画面（画面番号表示あり）に、順次表示される。例えば録画日時が最も新しいタイトルを［０１０］のサムネイル表示領域に割り当て、日時がさかのぼるように［００９］〜［００１］の総てのサムネイル表示領域に９個のタイトルが表示される（８−１）。
【００４６】
このとき、それぞれのタイトルについて、例えばムーブが許可されているＣＰＲＭ対応か否かが判断され（８−２）、ＣＰＲＭ対応ディスクに対するムーブが許可されているタイトルのサムネイル画面については、例えばグレイダウン表示（色抜き／モノクロ表示）により表示される（８−３）。
【００４７】
続いて、『ＣＰＲＭ対応ディスクを挿入してください』等のアラートメッセージが、主制御ブロック１９に含まれるＯＳＤにより、接続されているモニター装置Ｍに表示される（８−４）。
【００４８】
以下、ディスクドライブユニット２５にセットされている光ディスクＤが交換されたか否かがチェックされ（８−５）、光ディスクＤが交換された場合（８−５−ＹＥＳ）、次に、ＣＰＲＭ対応ディスクであるか否かがチェックされる（８−６）。
【００４９】
セットされたディスクがＣＰＲＭ対応ディスクであることがチェックされると（８−６−ＹＥＳ）、（８−３）においてグレイダウン表示されていたタイトルが通常表示に変更される（８−７）。このとき、記録メディア表示領域の表示が、それまでの光ディスクの表示から、図５に示すように、［ＣＰＲＭ］表示に変化される（８−８）。
【００５０】
また、ダビング可能コンテンツ表示領域に、（８−３）においてグレイダウン表示されていたタイトル（（８−７）で通常表示に変更されたタイトル）のサムネイル画像が追加される（８−９）。
【００５１】
なお、図８に示したフローは、図９に示すように、ディスクドライブユニットにセットされている光ディスクの種類に基いて、変更されてもよい。
【００５２】
リモコン端末ＲＭにより編集モードの起動が指示（入力）されると、「編集ナビ（ダビング）」画面が表示される（９−１）。
【００５３】
続いて、ディスクドライブユニット２５にセットされている光ディスクがＣＰＲＭ対応ディスクであるか否かがチェックされ（９−２）、ＣＰＲＭ対応ディスクとは異なるディスクがセットされている場合（９−２−ＮＯ）には、『ＣＰＲＭ対応ディスクをセットしてください』等のメッセージがモニター装置に、ＯＳＤ表示される（９−３）。
【００５４】
以下、ディスクドライブユニット２５にセットされている光ディスクＤが交換されたか否かがチェックされ（９−４）、光ディスクＤが交換された場合（９−４−ＹＥＳ）、再び、ＣＰＲＭ対応ディスクであるか否かがチェックされる（９−２）。
【００５５】
セットされたディスクがＣＰＲＭ対応ディスクであることがチェックされると（９−２−ＹＥＳ）、記録メディア表示領域の表示が、それまでにセットされている光ディスクの表示から、図５に示すように、［ＣＰＲＭ］表示に変化される（９−５）。供給元情報表示領域に、予め用意された個数のサムネイル画面（画面番号表示あり）が、所定数、順次表示される。例えば録画日時が最も新しいタイトルを［０１０］のサムネイル表示領域に割り当て、日時がさかのぼるように［００９］〜［００１］の総てのサムネイル表示領域に９個のタイトルが表示される（９−６）。
【００５６】
また、ダビング可能コンテンツ表示領域に、（９−６）において表示されたサムネイル画像のうちのＣＰＲＭディスクへのムーブが認められているタイトルが、順次表示される（９−７）。
【００５７】
以上説明したように、本発明の実施の形態の１つを用いることで、コンテンツ（番組）のダビング／ムーブが要求された場合に、ダビング／ムーブ可能な記録メディア（光ディスク）が挿入されているか否か、あるいは現在挿入されている光ディスクではダビング／ムーブが禁止されているため、ディスクの交換が必要である、等の「なぜ、ダビング／ムーブできないのか」を、ユーザーに容易に報知できる。これにより、用意した光ディスクにダビング／ムーブできない、という「ユーザーが理解できない」疑問が解消され、ユーザーの不自由さ（操作性の悪さ）が解消される。
【００５８】
従って、記録したコンテンツのダビングガイドを、メッセージやアラート表示のみではなく、一覧表示することによって、ユーザーの装置に対する理解と操作を向上させることが可能となる。
【００５９】
すなわち、映像記録装置のパーツ選択の一覧表示（編集ナビ）画面において、ダビングしたい機能に対し、挿入しているメディアに基いて、ダビング可能なコンテンツを、例えば、挿入されているメディアがＤＶＤ−Ｒか、ＶＩＤＥＯフォーマットか、高速ダビングモードか、等の環境情報や、記録されているコンテンツのＵＤＦ情報に基いて、識別表示することにより、ユーザーの操作性や利便性が向上される。
【００６０】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６１】
【図１】この発明の実施の形態が適用される情報記録再生装置の一例を示す概略図。
【図２】図１に示した情報記録再生装置（映像録画装置）への制御情報や操作入力に利用されるリモートコントロール端末の一例を示す概略図。
【図３】図１に示した映像録画装置により、出力される表示画面（「見るナビ」）の一例を示す概略図。
【図４】図１に示した映像録画装置により、出力される表示画面（「編集ナビ」）の一例を示す概略図。
【図５】図１に示した映像録画装置により、出力される表示画面（「編集ナビ」）の一例を示す概略図。
【図６】図４および図５に示した表示画面（「編集ナビ」）の供給元情報表示領域４１０のコンテンツ情報表示欄４１１に表示される表示例の一例を示す概略図。
【図７】図４および図５に示した表示画面（「編集ナビ」）のダビング先情報表示領域４２０のメディア情報欄４２５に表示される表示例の一例を示す概略図。
【図８】図４および図５に示した表示画面（「編集ナビ」）の表示動作をソフトウェアとして実現する例を説明するフローチャート。
【図９】図４および図５に示した表示画面（「編集ナビ」）の表示動作をソフトウェアとして実現する別の例を説明するフローチャート。
【符号の説明】
【００６２】
１…情報記録再生装置（映像録画装置）、１１…衛星アンテナ、１３…ＢＳ／ＣＳチューナー、１５…地上波アンテナ、１７…地上波チューナー、１９…主制御ブロック、２１…録画装置、２３…ハードディスク装置（ＨＤＤ）、２５…ディスクドライブユニット、２７…ユーザー操作入力部、２９…リモートコントロール受信機、３１…出力端、３３…混合器、４０１…「編集ナビ（ダビング）」画面、４１０…供給元情報表示領域、４１１…コンテンツ情報表示欄、４２０…ダビング先情報表示領域、４２１…記録メディア表示領域、４２２…ダビング可能コンテンツ表示領域、４２３…ヘルプ（ＨＥＬＰ）表示欄、４２４…タイトル表示領域、４２５…メディア情報欄。
【図１】
2009015886.tif 000003
【図２】
2009015886.tif 000004
【図３】
2009015886.tif 000005
【図４】
2009015886.tif 000006
【図５】
2009015886.tif 000007
【図６】
2009015886.tif 000008
【図７】
2009015886.tif 000009
【図８】
2009015886.tif 000010
【図９】
2009015886.tif 000011